(57)【要約】【課題】配送物の宛先画像に基づいて特定したコード情報を用いて、配送物を区分けするための配送物区分システム及び配送物区分方法を提供する。【解決手段】区分機１０の制御部１５は、１パス処理において、区分機１０に送出された郵便物の宛先面の画像データを取得して、画像認識処理及びＩＤ化処理を実行する。そして、制御部１５は、宛先を読めた場合には、このＩＤ化処理において特定したＩＤと読取位置情報に関連付けて宛先情報を記録する。その後、２パス処理において、区分機１０に送出された郵便物の宛先面の画像データを取得して、画像認識処理及びＩＤ検索理を実行する。制御部１５は、ＩＤの登録があった場合、ＩＤ、読出位置情報に関連付けられた宛先情報の読み出し処理及び仕分け処理を実行する。【選択図】図１
2014144398.tif 000002
【特許請求の範囲】
【請求項１】
配送物の表面を撮影して画像データを生成する読取部と、
配送物を特定するための配送物識別子、読取位置及び宛先情報を関連付けて記憶する宛先情報記憶部と、
配送物を区分する処理を実行する制御部とを備えた配送物区分システムにおいて、
前記制御部は、
前記読取部から、配送物の表面を撮影した画像の画像データを取得し、
前記画像データから予め定められたコードを読み取れる場合には、このコードを配送物識別子として読み取るとともに、この配送物識別子の読取位置を特定し、
前記画像から配送物の宛先情報を読み取った場合には、前記配送物識別子、前記読取位置及び前記宛先情報を関連付けて前記宛先情報記憶部に記録するとともに、前記宛先情報を用いて第１の仕分け処理を実行する第１区分手段と、
前記読取部から、前記配送物の表面を撮影した画像を再度、取得し、
前記画像に含まれるコードを読み取り、このコードの読取位置に基づいて配送物識別子を特定し、前記配送物識別子に関連付けられた宛先情報を用いて第２の仕分け処理を実行する第２区分手段とを備えたことを特徴とする配送物区分システム。
【請求項２】
前記制御部は、前記画像において、配送物に表示されたくじ番号を特定して、このくじ番号を配送物識別子として用いることを特徴とする請求項１に記載の配送物区分システム。
【請求項３】
前記制御部は、前記画像に含まれるコードを読み取れない場合には、配送物の画像データから予め定められた構成のコードを生成し、このコードを配送物識別子として用いることを特徴とする請求項１又は２に記載の配送物区分システム。
【請求項４】
前記制御部は、
前記画像に含まれるコードを読み取れない場合には、前記画像から配送物に窓領域があるか否かを判定し、
窓領域があると判定した場合には、前記窓領域を除いた領域の画像データから予め定められた構成のコードを生成し、このコードを配送物識別子として用いることを特徴とする請求項３に記載の配送物区分システム。
【請求項５】
前記制御部は、
配送物識別子として用いる種別の優先順位を記憶しており、
前記画像に含まれるコードが、第１優先順位の種別のコードか否かを判定し、この第１優先順位のコードであった場合には、これを配送物識別子として用い、前記第１優先順位の種別のコードを読み取れない場合には、第２優先順位の種別のコードか否かを判定し、第２優先順位の種別のコードであった場合には、これを配送物識別子として用いることを特徴とする請求項１〜４のいずれか１項に記載の配送物区分システム。
【請求項６】
前記制御部は、
前記画像データから予め定められたコードを複数、読み取った場合には、すべてのコードを宛先情報に関連付けて前記宛先情報記憶部に記憶し、
前記宛先情報記憶部に記憶されたいずれかのコードを用いて第２の仕分け処理を実行することを特徴とする請求項１〜４のいずれか１項に記載の配送物区分システム。
【請求項７】
前記制御部は、前記画像から配送物の宛先情報を読み取れない場合には、読取条件を変更して、再度、読取処理を行なうことを特徴とする請求項１〜６のいずれか１項に記載の配送物区分システム。
【請求項８】
前記制御部は、前記画像から配送物の宛先情報を読み取れない場合には、前記画像データをオペレータ端末に転送し、前記オペレータ端末において入力された宛先情報を配送物識別子に関連付けて、前記宛先情報記憶部に記憶することを特徴とする請求項１〜７のいずれか１項に記載の配送物区分システム。
【請求項９】
配送物の表面を撮影して画像データを生成する読取部と、
配送物を特定するための配送物識別子、読取位置及び宛先情報を関連付けて記憶する宛先情報記憶部と、
配送物を区分する処理を実行する制御部とを備えた配送物区分システムを用いた配送物区分方法において、
前記制御部は、
前記読取部から、配送物の表面を撮影した画像の画像データを取得し、
前記画像データから予め定められたコードを読み取れる場合には、このコードを配送物識別子として読み取るとともに、この配送物識別子の読取位置を特定し、
前記画像から配送物の宛先情報を読み取った場合には、前記配送物識別子、前記読取位置及び前記宛先情報を関連付けて前記宛先情報記憶部に記録するとともに、前記宛先情報を用いて第１の仕分け処理を実行する第１区分段階と、
前記読取部から、前記配送物の表面を撮影した画像を再度、取得し、
前記画像に含まれるコードを読み取り、このコードの読取位置に基づいて配送物識別子を特定し、前記配送物識別子に関連付けられた宛先情報を用いて第２の仕分け処理を実行する第２区分段階とを実行することを特徴とする配送物区分方法。
【発明の詳細な説明】
【技術分野】
【０００１】
本発明は、配送物を仕分けする配送物区分システム及び配送物区分方法に関する。
【背景技術】
【０００２】
郵便物を宛先毎に区分するために区分機が用いられている。この区分機において、郵便物に記載されている宛名情報を読み取った後、この宛名情報をバーコード等のコード情報に変換し、コード情報と宛先情報とを関連付けて記憶し、コード情報を郵便物に印字する技術が開示されている（例えば、特許文献１を参照。）。このようにコード情報を印字することにより、このコード情報を読み取って、このコード情報に関連付けられた宛先情報を用いて、これ以降の仕分け作業等を効率よく行なうことができる。
【先行技術文献】
【特許文献】
【０００３】
【特許文献１】特開２００３−２８５０１１号公報（第１頁、図１）
【発明の概要】
【発明が解決しようとする課題】
【０００４】
コード情報は、インクを用いて印字されるため、インクのコストや印字機構のメンテナンス等にコスト負担が生じる。特に、このインクとして、通常の状態では肉眼で見えない特殊インクを用いた場合には、インク自体のコスト等によってコスト負担が大きくなる。
【０００５】
本発明は、上記問題点を解決するためになされたものであり、配送物の宛先画像に基づいて特定したコード情報を用いて、配送物を区分けするための配送物区分システム及び配送物区分方法を提供することにある。
【課題を解決するための手段】
【０００６】
上記課題を解決する配送物区分システムは、配送物の表面を撮影して画像データを生成する読取部と、配送物を特定するための配送物識別子、読取位置及び宛先情報を関連付けて記憶する宛先情報記憶部と、配送物を区分する処理を実行する制御部とを備えた配送物区分システムにおいて、前記制御部は、前記読取部から、配送物の表面を撮影した画像の画像データを取得し、前記画像データから予め定められたコードを読み取れる場合には、このコードを配送物識別子として読み取るとともに、この配送物識別子の読取位置を特定し、前記画像から配送物の宛先情報を読み取った場合には、前記配送物識別子、前記読取位置及び前記宛先情報を関連付けて前記宛先情報記憶部に記録するとともに、前記宛先情報を用いて第１の仕分け処理を実行する第１区分手段と、前記読取部から、前記配送物の表面を撮影した画像を再度、取得し、前記画像に含まれるコードを読み取り、このコードの読取位置に基づいて配送物識別子を特定し、前記配送物識別子に関連付けられた宛先情報を用いて第２の仕分け処理を実行する第２区分手段とを備えた。この構成によれば、配送物の宛先画像に基づいて特定したコードを配送物識別子として用いるので、宛先情報を関連付ける配送物識別子を配送物に対して新たに印字しなくても、１度取得した宛先情報に基づいて配送物を区分することができる。
【０００７】
上記配送物区分システムにおいて、前記制御部は、前記画像において、配送物に表示されたくじ番号を特定して、このくじ番号を配送物識別子として用いることが好ましい。この構成によれば、この配送物に対して予め表示されているコードに宛先情報を関連付けて、配送物を区分することができる。
【０００８】
上記配送物区分システムにおいて、前記制御部は、前記画像に含まれるコードを読み取れない場合には、配送物の画像データから予め定められた構成のコードを生成し、このコードを配送物識別子として用いることが好ましい。この構成によれば、画像から配送物に表示されているコードが読み取れない場合には、画像データから生成されるコードを用いるので、この場合であっても配送物に対してコードを新たに印字しなくても、コードに印字情報を関連付けて、配送物を区分することができる。
【０００９】
上記配送物区分システムにおいて、前記制御部は、前記画像に含まれるコードを読み取れない場合には、前記画像から配送物に窓領域があるか否かを判定し、窓領域があると判定した場合には、前記窓領域を除いた領域の画像データから予め定められた構成のコードを生成し、このコードを配送物識別子として用いることが好ましい。窓付き封筒において、内容物と窓の位置とが変化することがある。この場合には、窓を通じて見える内容を含めた画像データを用いてコード化すると、同じ郵便物であっても異なるコードが生成されてしまう。そこで、この構成によれば、窓領域の画像を除いてコードを生成することにより、窓から内容物の一部が外から見える郵便物であっても、的確なコードを生成することができる。
【００１０】
上記配送物区分システムにおいて、前記制御部は、配送物識別子として用いる種別の優先順位を記憶しており、前記画像に含まれるコードが、第１優先順位の種別のコードか否かを判定し、この第１優先順位のコードであった場合には、これを配送物識別子として用い、前記第１優先順位の種別のコードを読み取れない場合には、第２優先順位の種別のコードか否かを判定し、第２優先順位の種別のコードであった場合には、これを配送物識別子として用いることが好ましい。この構成によれば、優先順位の高い種別のコードを順番に配送物識別子として用いることができる。
【００１１】
上記配送物区分システムにおいて、前記制御部は、前記画像データから予め定められたコードを複数、読み取った場合には、すべてのコードを宛先情報に関連付けて前記宛先情報記憶部に記憶し、前記宛先情報記憶部に記憶されたいずれかのコードを用いて第２の仕分け処理を実行することが好ましい。この構成によれば、配送物の宛先画像に基づいて特定した複数のコードを用いることができるので、より確実に同一の配送物を特定することができる。
【００１２】
上記配送物区分システムにおいて、前記制御部は、前記画像から配送物の宛先情報を読み取れない場合には、読取条件を変更して、再度、読取処理を行なうことが好ましい。この構成によれば、１回の読取処理で宛先を読めなかったとしても、異なる読取条件によって再度、画像認識を行なうことができるので、宛先情報を自動に取得できる可能性を高くすることができる。
【００１３】
上記配送物区分システムにおいて、前記制御部は、前記画像から配送物の宛先情報を読み取れない場合には、前記画像データをオペレータ端末に転送し、前記オペレータ端末において入力された宛先情報を配送物識別子に関連付けて、前記宛先情報記憶部に記憶することが好ましい。この構成によれば、宛先情報が読み取れない場合には、入力により宛先情報を取得し、この宛先情報を用いて配送物を区分することができる。
【００１４】
上記課題を解決する配送物区分方法は、配送物の表面を撮影して画像データを生成する読取部と、配送物を特定するための配送物識別子、読取位置及び宛先情報を関連付けて記憶する宛先情報記憶部と、配送物を区分する処理を実行する制御部とを備えた配送物区分システムを用いた配送物区分方法において、前記制御部は、前記読取部から、配送物の表面を撮影した画像の画像データを取得し、前記画像データから予め定められたコードを読み取れる場合には、このコードを配送物識別子として読み取るとともに、この配送物識別子の読取位置を特定し、前記画像から配送物の宛先情報を読み取った場合には、前記配送物識別子、前記読取位置及び前記宛先情報を関連付けて前記宛先情報記憶部に記録するとともに、前記宛先情報を用いて第１の仕分け処理を実行する第１区分段階と、前記読取部から、前記配送物の表面を撮影した画像を再度、取得し、前記画像に含まれるコードを読み取り、このコードの読取位置に基づいて配送物識別子を特定し、前記配送物識別子に関連付けられた宛先情報を用いて第２の仕分け処理を実行する第２区分段階とを実行する。この構成によれば、配送物に予め表示されていたコードを配送物識別子として用いるので、宛先情報を関連付ける配送物識別子を配送物に対して新たに印字しなくても、１度取得した宛先情報に基づいて配送物を区分することができる。
【発明の効果】
【００１５】
本発明によれば、配送物の宛先画像に基づいて特定したコード情報を用いて、配送物を区分けすることができる。
【図面の簡単な説明】
【００１６】
【図１】実施形態の配送物区分システムの構成を説明する概略構成図。
【図２】実施形態の記憶部に記憶されたデータの構成を説明する説明図であり、（ａ）は宛先情報記憶部、（ｂ）は画像データ記憶部。
【図３】実施形態の区分処理の全体の処理手順を説明する流れ図。
【図４】実施形態の１パス処理の処理手順を説明する流れ図。
【図５】実施形態のＩＤ化処理の処理手順を説明する流れ図。
【図６】実施形態のＶＣＳ処理の処理手順を説明する流れ図。
【図７】実施形態のＶＣ再供給処理の処理手順を説明する流れ図。
【図８】実施形態のＩＤ検索処理の処理手順を説明する流れ図。
【図９】実施形態の２パス処理の処理手順を説明する流れ図。
【図１０】第１の変更例のＩＤ化処理の処理手順を説明する流れ図。
【図１１】第２の変更例のＩＤ化処理の処理手順を説明する流れ図。
【図１２】変更例の区分処理の処理手順を説明する流れ図であり、（ａ）は全体処理、（ｂ）は１パス処理。
【図１３】変更例の区分処理におけるｎパス処理の処理手順を説明する流れ図。
【発明を実施するための形態】
【００１７】
以下、配送物区分システム及び配送物区分方法の一実施形態について、図１〜図９に基づいて説明する。ここでは、配送物として郵便物を区分する。
図１に示すように、本実施形態の配送物区分システムとしての郵便物区分システム１００は、はがきや封書等の郵便物を宛先に応じて区分するシステムであって、区分機１０と、ＶＣＳ（ビデオコーディングシステム）２０とを備えている。
【００１８】
区分機１０は、読取部１１、搬送部１２、制御部１５、宛先情報記憶部１６及び住所情報記憶部１７を備えている。制御部１５は、読取部１１、搬送部１２、宛先情報記憶部１６及び住所情報記憶部１７に接続されており、これらとデータの送受信を行なう。
【００１９】
読取部１１は、区分対象の郵便物の宛先が表示された表面（宛先面）を読み取り、この表面の画像データを生成して、制御部１５に送信する。
搬送部１２は、制御部１５の指示信号に応じて、区分機１０の複数の収納棚のうち、郵便物の宛先に応じた収納棚に、郵便物を搬送して収納する。
【００２０】
制御部１５は、第１区分手段及び第２区分手段として機能し、図示しないＣＰＵ、ＲＡＭ及びＲＯＭ等を有し、後述する処理（第１区分段階及び第２区分段階等を含む処理）を行なう。そして、このための区分プログラムを実行することにより、制御部１５は、宛先処理手段１５０、画像認識手段１５１及び搬送制御手段１５２等として機能する。
【００２１】
宛先処理手段１５０は、郵便物を区分するために、郵便物の宛先情報（本実施形態では、郵便番号と、郵便番号から特定される住所以外の住所（例えば、丁目、番地及び号数）の英数字とを合成することにより構成された宛先住所）を特定する処理を実行する。この場合、宛先処理手段１５０は、郵便番号と、この郵便番号から特定される住所とを関連付けた郵便番号住所データを記憶している。
【００２２】
また、宛先処理手段１５０は、バーコードをデコードする。
この宛先処理手段１５０は、ＩＤＢＣ、くじ番号、追跡コード及び顧客コードのそれぞれのＩＤ種別を判定して、パターン認識を行なうためのＩＤパターンデータを記憶している。具体的には、予め定められた固定位置に表示されるＩＤ種別については、ＩＤパターンデータにおいて、ＩＤ種別に関連付けて、コード体系（コードを構成する桁数や文字種別等の要素等）とともに、表示形態、ＩＤの表示位置（範囲）に関するデータが登録されている。また、表示位置が固定されていないＩＤ種別については、ＩＤパターンデータにおいて、ＩＤ種別に関連付けて、コード体系や表示形態に関するデータが登録されている。
【００２３】
ここで、ＩＤＢＣは、従来の区分機においてインクで印字されていた郵便物を特定するための固有識別子である。この固有識別子は、郵便物の種類、印字機械番号、印字日付情報及び一連番号等を含む。このＩＤＢＣは、コード体系や表示形態によりＩＤ種別を特定できる。くじ番号は、年賀はがき等、くじ付きはがきに表示される識別子であり、表示位置、コード体系によりＩＤ種別を特定できる。追跡コードは、書留や荷物等の配達状況を確認するために用いられる識別子であり、書留等の配送依頼を受け付けた場合に貼付等により表示される。追跡コードは、コード体系、表示形態によりＩＤ種別を特定することができる。顧客コードは、差出人が郵便物上に印字した識別子である。この顧客コードとしては、郵便割引の適用を受けるために用いるカスタマーバーコードや、顧客が自分の顧客管理等に利用している公知のバーコード規格等が用いられる。この規格としては、ＮＷ−７、ＣＯＤＥ３９、ＪＡＮ（Japan Article Number）、ＩＴＦ（Interleaved Two of Five）等を用いることができる。これら各コードの種別を特定するためのコード体系（このコードの規定桁数）や表示形態等によって、各コードの種類（ＩＤ種別）を特定することができる。
【００２４】
更に、宛先処理手段１５０は、画像データを圧縮して、予め定められた形式のコード（英数字列）を生成するための関数（コード化関数）に関するデータを記憶している。
画像認識手段１５１は、読み取った宛先面の画像から文字（英数字や漢字等）を認識する処理を実行する。
搬送制御手段１５２は、搬送部１２を制御して、郵便物の宛先に応じた収納棚に郵便物を搬送する処理を実行する。
【００２５】
図２（ａ）に示すように、宛先情報記憶部１６は、宛先レコード１６０が記憶されている。この宛先レコード１６０は、制御部１５が宛先情報を特定した場合や入力された宛先情報をＶＣＳ２０から取得した場合に記録される。この宛先レコード１６０には、ＩＤ、読取位置及び宛先情報に関するデータが含まれる。
【００２６】
ＩＤデータ領域には、各郵便物（配送物）を特定するための郵便物識別子（ＩＤ）に関するデータが記録される。この郵便物識別子が配送物識別子として機能する。
読取位置データ領域には、画像上で、このＩＤを読み取った位置（読取位置）に関するデータが記録される。
宛先情報データ領域には、この郵便物の宛先住所に関するデータが記録される。
【００２７】
住所情報記憶部１７には、郵便物を配送するために用いられる住所に関する住所レコードが記憶されている。この住所レコードは、配送先の住所について、新たな居住者の氏名等の情報が登録された場合に記録される。この住所レコードには、拠点識別子、配達区域識別子、エリア識別子、各戸の住所及び居住者名に関するデータが含まれる。
【００２８】
拠点識別子データ領域には、この住所への配送を管轄している配達拠点を特定するための識別子に関するデータが記録されている。本実施形態では、この配達拠点識別子として、郵便番号を用いる。
【００２９】
配達区域識別子データ領域、エリア識別子データ領域には、それぞれ、各配達区域を特定するための識別子（配達区域識別子）、この配達区域内における細分化された各エリアを特定するための識別子（エリア識別子）に関するデータが記録されている。
【００３０】
住所データ領域には、このエリア内の各戸の住所に関するデータが記録されている。本実施形態では、郵便番号と、郵便番号から特定される住所以外の住所（例えば、丁目、番地及び号数）の英数字とを合成することにより構成された宛先住所が記録される。
居住者名データ領域には、この住所の宛先名に関するデータが記録されている。
【００３１】
図１に示すように、上述した区分機１０に接続されるＶＣＳ２０は、オペレータ端末として機能し、制御部２１、表示部２２及び入力部２３を備えている。制御部２１は、表示部２２、入力部２３、画像データ記憶部２４及び住所情報記憶部２５に接続されて、これらとデータの送受信を行なう。
【００３２】
制御部２１は、文字認識機能を有しており、後述するＶＣＳ処理を実行する。この場合、宛先面の画像データについて文字認識処理を実行し、宛先が読めない画像データについては、オペレータに入力を促すための処理を実行する。
【００３３】
表示部２２は、ディスプレイを備えており、宛先を読めなかった画像データを表示する。
入力部２３は、キーボードを備えており、オペレータにより入力された宛先住所を取得する。
【００３４】
画像データ記憶部２４には、画像レコード２４０が記憶されている。この画像データ記憶部２４は、区分機１０の制御部１５から画像レコードを受信した場合に記録される。この画像レコード２４０には、ＩＤ、読取位置、読取画像及び宛先情報に関するデータが含まれる。
【００３５】
ＩＤデータ領域には、各郵便物を特定するための郵便物識別子（ＩＤ）に関するデータが記録される。
読取位置データ領域には、画像上で、このＩＤを読み取った位置（読取位置）に関するデータが記録される。
【００３６】
読取画像データ領域には、この郵便物の宛先面の画像データが記録される。
宛先情報データ領域には、この郵便物の宛先住所に関するデータが記録される。
住所情報記憶部２５には、住所情報記憶部１７に記録された住所レコードと同じ住所レコードが記憶されている。
【００３７】
（区分処理）
次に、以上のように構成された郵便物区分システムを用いて郵便物を区分する処理を、図３〜図９に従って説明する。本実施形態では、配達拠点において配達する郵便物を区分する。また、ここでは、区分機１０における区分処理の後にＶＣＳ２０におけるＶＣＳ処理を実行するオフラインＶＣＳの区分処理について説明する。
【００３８】
図３に示すように、この区分処理では、１パス処理（ステップＳ１−１）、ＶＣＳ処理（ステップＳ１−２）、ＶＣ再供給処理（ステップＳ１−３）及び２パス処理（ステップＳ１−４）が、この順番で実行される。ここで、１パス処理及び２パス処理は、郵便物を配達順路順に並べる処理である。また、１パス処理は第１の仕分け処理、２パス処理は第２の仕分け処理に対応する。
【００３９】
（１パス処理）
図４を用いて、まず、１パス処理について説明する。区分機１０に郵便物が投入されると、区分機１０は、各郵便物を１通ずつ搬送部１２内に順次、送出する。
【００４０】
ここで、区分機１０は、送出された郵便物毎に、以下の処理を繰り返して実行する。
まず、区分機１０の制御部１５は、画像取得処理を実行する（ステップＳ２−１）。具体的には、区分機１０の読取部１１は、送出された郵便物の宛先面を撮影して、画像データを生成し、制御部１５に送信する。制御部１５の宛先処理手段１５０は、読取部１１から、宛先面の画像データを取得する。
【００４１】
次に、区分機１０の制御部１５は、画像認識処理を実行する（ステップＳ２−２）。具体的には、制御部１５の画像認識手段１５１は、取得した宛先面の画像に含まれるコード領域を特定し、このコード領域の位置、コード領域に含まれる文字（英数字や漢字等）を認識する。
【００４２】
そして、制御部１５の宛先処理手段１５０は、認識した文字から宛先住所候補を特定する。具体的には、宛先処理手段１５０は、郵便番号から町名や丁目までの住所を特定し、郵便番号から特定される住所以外の住所（例えば、番地や号数）を特定する。更に、宛先処理手段１５０は、認識した文字において宛先住所候補以外の英数字列を特定したり、宛先面画像においてバーコードを特定したりする。ここで、バーコードを特定した場合には、宛先処理手段１５０は、ＩＤパターンデータを用いたパターン認識により、このバーコードをデコードして英数字列を特定する。そして、宛先処理手段１５０は、この英数字列の位置（読取位置）を特定する。
【００４３】
次に、区分機１０の制御部１５は、ＩＤ化処理を実行する（ステップＳ２−３）。具体的には、制御部１５の宛先処理手段１５０は、ＩＤと読取位置とを関連付けて、メモリに仮記憶する。この処理の詳細は、後述する。
【００４４】
次に、区分機１０の制御部１５は、宛先を読めたか否かの判定処理を実行する（ステップＳ２−４）。具体的には、制御部１５の宛先処理手段１５０は、特定した宛先住所候補に一致する住所の住所レコードを、住所情報記憶部１７において検索する。ここで、住所が一致する１つの住所レコードを抽出した場合には、宛先処理手段１５０は、宛先を読めたと判定する。また、住所が一致する複数の住所レコードを抽出した場合には、宛先処理手段１５０は、これら抽出した住所レコードの住所を比較する。比較した結果、抽出した住所レコードの住所が同じだった場合には、宛先処理手段１５０は、宛先を読めたと判定する。
【００４５】
ここで、宛先を読めた場合（ステップＳ２−４において「ＹＥＳ」）、区分機１０の制御部１５は、ＩＤ、読取位置情報に関連付けて宛先情報の記録処理を実行する（ステップＳ２−５）。具体的には、制御部１５の宛先処理手段１５０は、特定したＩＤ、読取位置及び宛先情報を含む宛先レコード１６０を生成して、宛先情報記憶部１６に記録する。
【００４６】
一方、住所が一致する住所レコードを抽出しない場合や抽出した複数の住所レコードにおいて異なる住所が含まれている場合には、区分機１０の制御部１５は、宛先を読めなかったと判定する。この場合（ステップＳ２−４において「ＮＯ」）には、区分機１０の制御部１５は、ＩＤ及び画像データをＶＣＳに送信する処理を実行する（ステップＳ２−６）。具体的には、制御部１５の宛先処理手段１５０は、特定したＩＤ及び読取位置に関連付けて、宛先面の画像データをＶＣＳ２０に送信する。
そして、ＶＣＳ２０の制御部２１は、受信したＩＤ、読取位置及び画像データを含む画像レコード２４０を生成して、画像データ記憶部２４に記録する。この場合、この画像レコード２４０には、宛先情報は記録されていない。
【００４７】
次に、区分機１０の制御部１５は、仕分け処理を実行する（ステップＳ２−７）。具体的には、制御部１５の搬送制御手段１５２は、取得した宛先情報に対応する収納棚に、処理対象の郵便物が収納されるように、搬送部１２を制御する。なお、制御部１５の搬送制御手段１５２は、宛先を読めなかった郵便物（ステップＳ２−４において「ＮＯ」の場合と判定された郵便物）については、この郵便物がＶＣ再供給の収納棚に収納されるように、搬送部１２を制御する。
以上の処理を、郵便物毎に繰り返して実行する。
【００４８】
（ＩＤ化処理）
次に、図５を用いて、ＩＤ化処理（ステップＳ２−３）について説明する。
まず、制御部１５の宛先処理手段１５０は、ＩＤＢＣを読めたか否かの判定処理を実行する（ステップＳ３−１）。具体的には、宛先処理手段１５０は、郵便物の宛先面画像において、ＩＤＢＣのＩＤパターンに該当するものを検索する。そして、宛先処理手段１５０は、ＩＤＢＣを特定した場合には、このＩＤＢＣをデコードして、ＩＤＢＣに含まれる英数字列を特定する。
【００４９】
ここで、ＩＤＢＣを読めた場合（ステップＳ３−１において「ＹＥＳ」の場合）、制御部１５の宛先処理手段１５０は、このＩＤＢＣをＩＤとして特定する処理を実行する（ステップＳ３−２）。具体的には、宛先処理手段１５０は、ＩＤＢＣをデコードした英数字列と、これの読取位置とを関連付けて仮記憶する。
【００５０】
一方、ＩＤＢＣを読めなかった場合（ステップＳ３−１において「ＮＯ」の場合）、宛先処理手段１５０は、くじ番号を読めたか否かの判定処理を実行する（ステップＳ３−３）。具体的には、宛先処理手段１５０は、郵便物の宛先面画像において、くじ番号のＩＤパターンデータの表示位置において、くじ番号のＩＤパターンの英数字列を読み取れた場合には、くじ番号を読めたと判定する。
【００５１】
ここで、くじ番号を読めた場合（ステップＳ３−３において「ＹＥＳ」の場合）、宛先処理手段１５０は、このくじ番号をＩＤとして特定する処理を実行する（ステップＳ３−４）。具体的には、宛先処理手段１５０は、この英数字列と、くじ番号の読取位置とを関連付けて仮記憶する。
【００５２】
一方、くじ番号を読めなかった場合（ステップＳ３−３において「ＮＯ」の場合）、宛先処理手段１５０は、追跡コードを読めたか否かの判定処理を実行する（ステップＳ３−５）。具体的には、宛先処理手段１５０は、郵便物の宛先面画像において認識した英数字列において、追跡コードのＩＤパターンに該当するものを検索する。この英数字列が追跡コードのＩＤパターンに該当する場合には、宛先処理手段１５０は、追跡コードを読めたと判定する。
【００５３】
ここで、追跡コードを読めた場合（ステップＳ３−５において「ＹＥＳ」の場合）、宛先処理手段１５０は、この追跡コードをＩＤとして特定する処理を実行する（ステップＳ３−６）。具体的には、宛先処理手段１５０は、この英数字列と、追跡コードの読取位置とを関連付けて仮記憶する。
【００５４】
一方、追跡コードを読めなかった場合（ステップＳ３−５において「ＮＯ」の場合）、宛先処理手段１５０は、顧客コードを読めたか否かの判定処理を実行する（ステップＳ３−７）。具体的には、宛先処理手段１５０は、郵便物の宛先面画像において認識した英数字列において、顧客コードのＩＤパターンに該当するものを検索する。この英数字列が顧客コードのＩＤパターンに該当する場合には、宛先処理手段１５０は、顧客コードを読めたと判定する。
【００５５】
ここで、顧客コードを読めた場合（ステップＳ３−７において「ＹＥＳ」の場合）、宛先処理手段１５０は、この顧客コードをＩＤとして特定する処理を実行する（ステップＳ３−８）。具体的には、宛先処理手段１５０は、この英数字列と、顧客コードの読取位置とを関連付けて仮記憶する。
【００５６】
一方、顧客コードを読めなかった場合（ステップＳ３−８において「ＮＯ」の場合）、宛先処理手段１５０は、画像をコード化してＩＤとして特定する処理を実行する（ステップＳ３−９）。ここで、郵便物が窓付き封筒の場合には、窓内の画像を除いた画像をコード化する。具体的には、宛先処理手段１５０は、宛先面画像データにおいて宛先の外周を囲む枠を検出したか否かを判定する。ここで、宛先処理手段１５０は、枠を検出せず、窓付き封筒ではないと判定した場合には、郵便物の画像データをコード化関数に代入することによりコード化する。一方、宛先処理手段１５０は、枠を検出したことにより窓付き封筒と判定した場合には、この枠内の領域（窓領域）の画像データを除いた画像データをコード化関数に代入して、所定の構成情報のコードを生成する。そして、宛先処理手段１５０は、生成したコードをＩＤとし、全体を読取位置として、これらのデータを関連付けて仮記憶する。
【００５７】
（ＶＣＳ処理）
次に、図６を用いて、ＶＣＳ処理（ステップＳ１−２）について説明する。このＶＣＳ処理において、区分機１０の制御部１５が、投入された郵便物のすべてについて上述した１パス処理が終了した場合に実行される。
【００５８】
ここで、ＶＣＳ２０の制御部２１は、宛先情報が記録されていない画像レコード２４０を、画像データ記憶部２４から１つずつ処理対象として特定し、処理対象の画像データ毎に、以下の処理を繰り返して実行する。
【００５９】
まず、ＶＣＳ２０の制御部２１は、画像認識処理を実行する（ステップＳ４−１）。具体的には、制御部２１は、ステップＳ２−２と同様に、取得した宛先面の画像に含まれる文字候補の位置を特定し、この位置における文字（英数字や漢字等）を特定し、特定した文字から宛先住所候補を特定する。
【００６０】
次に、ＶＣＳ２０の制御部２１は、宛先を読めたか否かの判定処理を実行する（ステップＳ４−２）。具体的には、制御部２１は、ステップＳ２−４と同様に、特定した宛先住所候補に一致する住所の住所レコードを住所情報記憶部２５において検索する。ここで、一致する住所レコードを１つ抽出した場合、又は抽出した住所レコードの住所がすべて同じだった場合には、制御部２１は、宛先を読めたと判定する。
【００６１】
ここで、ＶＣＳ２０の制御部２１は、宛先を読めなかったと判定した場合（ステップＳ４−２において「ＮＯ」）、画像表示処理を実行する（ステップＳ４−３）。具体的には、制御部２１は、この画像データを表示部２２に表示し、住所を入力することを促す。
【００６２】
次に、ＶＣＳ２０の制御部２１は、宛先入力処理を実行する（ステップＳ４−４）。具体的には、制御部２１は、入力部２３を介して、住所が入力された場合、入力された住所を取得する。
【００６３】
次に、ＶＣＳ２０の制御部２１は、ＩＤ、読取位置情報に関連付けて宛先情報の記録処理を実行する（ステップＳ４−５）。具体的には、制御部２１は、処理対象の画像データが記録された画像レコード２４０の宛先情報データ領域に、取得した住所を記録する。
【００６４】
次に、ＶＣＳ２０の制御部２１は、ＩＤと宛先情報を区分機に送信する処理を実行する（ステップＳ４−６）。具体的には、ＶＣＳ２０の制御部２１は、この画像レコード２４０のＩＤ、読取位置及び宛先情報を、区分機１０の制御部１５に送信する。
【００６５】
区分機１０は、ＶＣＳ２０から受信したＩＤ、読取位置及び宛先情報を含む宛先レコード１６０を生成して、宛先情報記憶部１６に記録する。
以上の処理を、画像データ記憶部２４に記憶された画像データ毎に繰り返して実行する。そして、ＶＣＳ２０の制御部２１は、宛先情報が記録されていない画像レコード２４０がなくなった場合には、このＶＣＳ処理を終了する。
【００６６】
（ＶＣ再供給処理）
次に、図７を用いて、ＶＣ再供給処理（ステップＳ１−３）について説明する。このＶＣ再供給処理は、ＶＣＳ処理が終了した後、ＶＣ再供給の収納棚に仕分けされた郵便物を、区分機１０に投入する。この場合、区分機１０は、各郵便物を１通ずつ搬送部１２内に送出する。
【００６７】
そして、区分機１０は、以下の処理を、郵便物毎に繰り返して実行する。
まず、区分機１０の制御部１５は、ステップＳ２−１と同様に、画像取得処理を実行する（ステップＳ５−１）。
【００６８】
次に、区分機１０の制御部１５は、画像認識処理を実行する（ステップＳ５−２）。具体的には、制御部１５の画像認識手段１５１は、ステップＳ２−２と同様に、取得した宛先面の画像に含まれるコード領域を特定し、このコード領域の位置、コード領域に含まれるバーコード及び文字（英数字や漢字等）を認識し、認識した文字から宛先住所候補と、宛先住所候補以外の英数字列又はバーコードを特定する。
【００６９】
次に、区分機１０の制御部１５は、ＩＤ検索処理を実行する（ステップＳ５−３）。具体的には、制御部１５の宛先処理手段１５０は、郵便物のＩＤを検索する処理を実行する。この処理の詳細は、後述する。
【００７０】
次に、区分機１０の制御部１５は、ＩＤの登録があるか否かの判定処理を実行する（ステップＳ５−４）。具体的には、制御部１５の宛先処理手段１５０は、ＩＤ検索処理（ステップＳ５−３）において特定したＩＤを含む宛先レコード１６０が宛先情報記憶部１６に記憶されているか否かを検索する。ここで、一致するＩＤを抽出した場合、宛先処理手段１５０は、このＩＤの宛先レコード１６０の読取位置と、読み取ったＩＤの読取位置とが所定の許容範囲で一致しているか否かを判定する。ここで、両者の読取位置が所定の許容範囲内の場合には、宛先処理手段１５０は、ＩＤの登録があると判定する。
【００７１】
ここで、区分機１０の制御部１５は、ＩＤの登録があると判定した場合（ステップＳ５−４において「ＹＥＳ」の場合）ＩＤ、読出位置情報に関連付けられた宛先情報の読み出し処理を実行する（ステップＳ５−５）。具体的には、制御部１５の宛先処理手段１５０は、ＩＤ及び読取位置が一致する宛先レコード１６０を宛先情報記憶部１６から抽出し、この宛先レコード１６０の宛先情報を特定する。
【００７２】
次に、区分機１０の制御部１５は、ステップＳ２−７と同様に、仕分け処理を実行する（ステップＳ５−６）。具体的には、制御部１５の搬送制御手段１５２は、特定した宛先情報に対応する収納棚に、処理対象の郵便物が収納されるように、搬送部１２を制御する。
【００７３】
一方、一致するＩＤを抽出できない場合、又は一致したＩＤの読取位置が許容範囲内にない場合には、区分機１０の制御部１５は、ＩＤの登録がないと判定する。この場合（ステップＳ５−４において「ＮＯ」の場合）、区分機１０の制御部１５は、リジェクト処理を実行する（ステップＳ５−７）。具体的には、制御部１５の宛先処理手段１５０は、宛先不明の郵便物を収納する収納棚に、処理対象の郵便物が収納されるように、搬送部１２を制御する。
以上の処理を郵便物毎に繰り返して実行する。
【００７４】
（ＩＤ検索処理）
次に、図８を用いて、上記ステップＳ５−３におけるＩＤ検索処理について説明する。
【００７５】
まず、制御部１５の宛先処理手段１５０は、ステップＳ３−１、Ｓ３−２と同様に、ＩＤＢＣを読めたか否かの判定処理（ステップＳ６−１）、ＩＤＢＣを読めた場合（ステップＳ６−１において「ＹＥＳ」の場合）には、このＩＤＢＣをＩＤとして特定する処理（ステップＳ６−２）を実行する。
【００７６】
一方、ＩＤＢＣを読めなかった場合（ステップＳ６−１において「ＮＯ」の場合）、宛先処理手段１５０は、ステップＳ３−３と同様に、くじ番号を読めたか否かの判定処理を実行する（ステップＳ６−３）。ここで、くじ番号を読めた場合（ステップＳ６−３において「ＹＥＳ」の場合）、宛先処理手段１５０は、ステップＳ３−４と同様に、このくじ番号をＩＤとして特定する処理を実行する（ステップＳ６−４）。
【００７７】
一方、くじ番号を読めなかった場合（ステップＳ６−３において「ＮＯ」の場合）、宛先処理手段１５０は、ステップＳ３−５と同様に、追跡コードを読めたか否かの判定処理を実行する（ステップＳ６−５）。ここで、追跡コードを読めた場合（ステップＳ６−５において「ＹＥＳ」の場合）、宛先処理手段１５０は、ステップＳ３−６と同様に、この追跡コードをＩＤとして特定する処理を実行する（ステップＳ６−６）。
【００７８】
一方、追跡コードを読めなかった場合（ステップＳ６−５において「ＮＯ」の場合）、宛先処理手段１５０は、ステップＳ３−７と同様に、顧客コードを読めたか否かの判定処理を実行する（ステップＳ６−７）。ここで、顧客コードを読めた場合（ステップＳ６−７において「ＹＥＳ」の場合）、宛先処理手段１５０は、ステップＳ３−８と同様に、この顧客コードをＩＤとして特定する処理を実行する（ステップＳ６−８）。
一方、顧客コードを読めなかった場合（ステップＳ６−８において「ＮＯ」の場合）、宛先処理手段１５０は、ステップＳ３−９と同様に、画像をコード化してＩＤとして特定する処理を実行する（ステップＳ６−９）。
【００７９】
（２パス処理）
次に、図９を用いて、上記ステップＳ２−４における２パス処理について説明する。この場合にも、郵便物が区分機１０に投入されると、区分機１０は、各郵便物を１通ずつ搬送部１２内に送出する。
【００８０】
そして、区分機１０は、以下の処理を、郵便物毎に繰り返して実行する。
まず、区分機１０の制御部１５は、ステップＳ５−１〜Ｓ５−３と同様に、画像取得処理（ステップＳ７−１）、画像認識処理（ステップＳ７−２）及びＩＤ検索処理（ステップＳ７−３）を実行する。
【００８１】
次に、区分機１０の制御部１５は、ステップＳ５−４と同様に、ＩＤの登録があるか否かの判定処理を実行する（ステップＳ７−４）。
ここで、ＩＤの登録がある場合（ステップＳ７−４において「ＹＥＳ」の場合）、区分機１０の制御部１５は、ステップＳ５−５、Ｓ５−６と同様に、ＩＤ、読出位置情報に関連付けられた宛先情報の読み出し処理（ステップＳ７−５）及び仕分け処理（ステップＳ７−６）を実行する。
【００８２】
一方、ＩＤの登録がない場合（ステップＳ７−４において「ＮＯ」の場合）、区分機１０の制御部１５は、ステップＳ５−７と同様に、リジェクト処理を実行する（ステップＳ７−７）。以上の処理を郵便物毎に繰り返して実行する。
【００８３】
本実施形態によれば、以下のような効果を得ることができる。
（１）本実施形態では、区分機１０の制御部１５は、１パス処理（ステップＳ１−１）において、区分機１０に送出された郵便物の宛先面の画像データを取得して、画像認識処理（ステップＳ２−２）及びＩＤ化処理（ステップＳ２−３）を実行する。そして、制御部１５は、宛先を読めた場合（ステップＳ２−４において「ＹＥＳ」の場合）には、このＩＤ化処理において特定したＩＤと読取位置情報に関連付けて宛先情報を記録する。その後、２パス処理（ステップＳ１−４）において、区分機１０に送出された郵便物の宛先面の画像データを取得して、画像認識処理（ステップＳ７−２）及びＩＤ検索理（ステップＳ７−３）を実行する。制御部１５は、ＩＤの登録があった場合（ステップＳ７−４において「ＹＥＳ」の場合）、ＩＤ、読出位置情報に関連付けられた宛先情報の読み出し処理（ステップＳ７−５）及び仕分け処理（ステップＳ７−６）を実行する。これにより、郵便物に予め表示されていた英数字列（コード）等を郵便物識別子（配送物識別子）として用いることができる。特に、読出位置情報を用いるため、異なるＩＤ種別のコードにおいて、仮に共通したコード体系のコードが用いられている場合にも、各郵便物を識別する郵便物識別子として用いることができる。従って、宛先情報を関連付ける郵便物識別子を、郵便物に対して新たに印字する必要がなく、先に取得した宛先情報に基づいて郵便物を区分することができる。
【００８４】
（２）本実施形態では、区分機１０の制御部１５は、ＩＤ化処理（ステップＳ２−３）において、取得した宛先面の画像データに含まれる英文字列が、ＩＤＢＣ、くじ番号、追跡コード、又は顧客コードとして読めた場合（ステップＳ３−２，Ｓ３−４，Ｓ３−６，Ｓ３−８）、ＩＤＢＣ、くじ番号、追跡コード、又は顧客コードをＩＤとして特定する。これにより、郵便物において予め表示され、かつこの郵便物を特定できるコードをＩＤとして用いて宛先情報を関連付けることができる。特に、くじ番号は、予め決まった位置に配置されているため、効率的にＩＤ化を行なうことができる。
【００８５】
（３）本実施形態では、区分機１０の制御部１５は、ＩＤ化処理（ステップＳ２−３）において、取得した宛先面の画像データに含まれる英文字列が、ＩＤＢＣ、くじ番号、追跡コード、顧客コードの順番でＩＤを特定する。これにより、予め決めた順番でＩＤ種別を特定して、郵便物識別子として用いることができる。
【００８６】
（４）本実施形態では、区分機１０の制御部１５は、ＩＤ化処理（ステップＳ２−３）において、ＩＤＢＣ、くじ番号、追跡コード及び顧客コードを読めない場合（ステップＳ３−７において「ＮＯ」の場合）、画像をコード化してＩＤとして特定する処理を実行する（ステップＳ３−９）。これにより、宛先面画像において表示されているコードが読み取れない場合には、郵便物に対して新たにコードを印字することなく、ＩＤを用いて郵便物を区分することができる。
【００８７】
（５）本実施形態では、区分機１０の制御部１５は、画像をコード化してＩＤとして特定する処理（ステップＳ３−９）において、画像データにおいて枠を検出して、窓付き封筒か否かを判定する。そして、窓付き封筒と判定した場合には、この枠内の領域（窓領域）を除いた画像データをコード化関数に代入して、コードを生成する。窓付き封筒において、内容物と窓の位置とが変化することがある。この場合には、窓を通じて見える内容を含めた画像データを用いてコード化すると、同じ郵便物であっても異なるコードが生成されてしまう。そこで、窓領域の画像を除いてコードを生成することにより、窓から内容物の一部が外から見える郵便物であっても、的確なコードを生成することができる。
【００８８】
（６）本実施形態では、区分機１０の制御部１５は、１パス処理（ステップＳ１−１）において、画像認識処理（ステップＳ２−２）を実行し、宛先を読めなかった場合（ステップＳ２−４において「ＮＯ」の場合）、ＩＤ及び画像データをＶＣＳに送信する処理を実行する（ステップＳ２−６）。そして、ＶＣＳ２０の制御部２１は、ＶＣＳ処理（ステップＳ１−２）において、再度、画像認識処理（ステップＳ４−１）を実行する。これにより、１回の画像認識処理で宛先を読めなかった場合には、再度、画像認識処理を実行するので、宛先情報を自動に取得できる可能性を高くすることができる。
【００８９】
（７）本実施形態では、ＶＣＳ２０の制御部２１は、ＶＣＳ処理（ステップＳ１−２）の画像認識処理（ステップＳ４−１）を実行後、宛先を読めなかった場合（ステップＳ４−２において「ＮＯ」の場合）、画像表示処理及び宛先入力処理を実行する（ステップＳ４−３，Ｓ４−４）。これにより、宛先情報が読み取れない場合には、入力により宛先情報を取得し、この宛先情報を用いて郵便物を区分することができる。
【００９０】
また、上記実施形態は、以下のように変更してもよい。
・  上記実施形態においては、区分機１０の制御部１５は、ＩＤ化処理（ステップＳ２−３）において、ＩＤＢＣ、くじ番号、追跡コード、顧客コード及びコード化した画像を順に郵便物識別子（ＩＤ）として特定した。配送物識別子であるＩＤとして用いるコードの種類は、これらに限定されるものではない。
【００９１】
更に、ＩＤとして特定する順位も、この順番に限定されるものではない。例えば、指定によって、ＩＤとして特定する優先順位を予め決定してＩＤ化処理を実行してもよい。この場合、区分機１０の制御部１５に、優先順位を記憶するための優先順位記憶部を設ける。
【００９２】
図１０を用いて、このＩＤ化処理を説明する。具体的には、区分機１０の制御部１５は、まず、ＩＤ候補の優先順位の特定処理を実行する（ステップＳ８−１）。具体的には、区分機１０に、ＩＤ候補についての優先順位の設定変更を行なうための表示部及び操作部を設ける。区分機１０の制御部１５は、操作部を介して、ＩＤ候補について優先順位の変更指示を受け付けた場合、優先順位毎にコードのＩＤ種別を特定する画面を表示部に表示する。区分機１０の制御部１５は、画面において、操作部を介して入力されたＩＤ種別の優先順位を取得し、ＩＤ種別と優先順位とを関連付けて優先順位記憶部に記憶する。
【００９３】
次に、区分機１０の制御部１５は、第１順位コードが読めたか否かの判定処理を実行する（ステップＳ８−２）。具体的には、制御部１５は、優先順位記憶部において、第１優先順位として記憶されたＩＤ種別（ＩＤＢＣ、くじ番号、追跡コード又は顧客コード）を特定し、画像上において、このＩＤ種別のコードを読めるか否かを特定する。
【００９４】
そして、第１順位のコードを読めた場合（ステップＳ８−２において「ＹＥＳ」の場合）、制御部１５は、この第１順位のコードをＩＤとして特定する処理を実行する（ステップＳ８−３）。具体的には、この第１順位のコードと、このコードの読取位置とを関連付けて仮記憶する。
【００９５】
一方、第１順位のコードを読めなかった場合（ステップＳ８−２において「ＮＯ」の場合）、制御部１５は、第２順位コードが読めたか否かの判定処理を実行する（ステップＳ８−４）。具体的には、制御部１５は、優先順位記憶部において、第２優先順位として記憶されたＩＤ種別を特定し、画像上において、このＩＤ種別のコードを読めるか否かを判定する。
【００９６】
そして、第２順位のコードを読めた場合（ステップＳ８−４において「ＹＥＳ」の場合）、制御部１５は、ステップＳ８−３と同様に、この第２順位のコードをＩＤとして特定する処理を実行する（ステップＳ８−５）。具体的には、この第２順位のコードと、このコードの読取位置とを関連付けて仮記憶する。
【００９７】
一方、第２順位のコードを読めなかった場合（ステップＳ８−４において「ＮＯ」の場合）、制御部１５は、第３順位コードが読めたか否かの判定処理を実行する（ステップＳ８−６）。具体的には、制御部１５は、優先順位記憶部において、第３優先順位として記憶されたＩＤ種別を特定し、画像上において、このＩＤ種別のコードを読めるか否かを判定する。
【００９８】
そして、第３順位のコードを読めた場合（ステップＳ８−６において「ＹＥＳ」の場合）、制御部１５は、ステップＳ８−３と同様に、この第３順位のコードをＩＤとして特定する処理を実行する（ステップＳ８−７）。具体的には、この第３順位のコードと、このコードの読取位置とを関連付けて仮記憶する。
【００９９】
一方、第３順位のコードを読めなかった場合（ステップＳ８−６において「ＮＯ」の場合）、制御部１５は、第４順位コードが読めたか否かの判定処理を実行する（ステップＳ８−８）。具体的には、制御部１５は、優先順位記憶部において、第４優先順位として記憶されたＩＤ種別を特定し、画像上において、このＩＤ種別のコードを読めるか否かを判定する。
【０１００】
そして、第４順位のコードを読めた場合（ステップＳ８−８において「ＹＥＳ」の場合）、制御部１５は、ステップＳ８−３と同様に、この第４順位のコードをＩＤとして特定する処理を実行する（ステップＳ８−９）。具体的には、この第４順位のコードと、このコードの読取位置とを関連付けて仮記憶する。
【０１０１】
一方、第４順位のコードを読めなかった場合（ステップＳ８−８において「ＮＯ」の場合）、制御部１５は、ステップＳ３−９と同様に、画像をコード化してＩＤとして特定する処理を実行する（ステップＳ８−１０）。
これにより、区分機１０のコードの読取特性や取扱う配送物の種類等の状況に応じて、読み取り易いコード（英数文字）の優先順位を変更することができる。
【０１０２】
また、ＩＤとして特定する順位を時期によって変更してもよい。例えば、年賀状の受付開始から年始までは、くじ番号を第１順位にしてもよい。この場合、期間に関連付けて、優先順位とＩＤ種別とを、優先順位記憶部に記憶する。そして、区分機１０の制御部１５は、現在日に応じた期間におけるＩＤ種別の優先順位を特定する。これにより、年賀はがきが多くなる場合には、効率よく配送物を区分することができる。
また、複数枚のサンプルを用いて、サンプルにおいて読み取りやすいＩＤを特定して優先順位を決めてもよい。
【０１０３】
また、上記実施形態のＩＤ化処理（ステップＳ２−３）において、１つのＩＤを特定して記録したが、複数のＩＤを特定して記録してもよい。例えば、宛先レコード１６０を、読取位置に関連付けたＩＤを複数記憶可能な構成とする。
【０１０４】
図１１を用いて、このＩＤ化処理を説明する。具体的には、区分機１０の制御部１５は、ステップＳ３−１と同様に、ＩＤＢＣを読めたか否かの判定処理を実行し（ステップＳ９−１）、ＩＤＢＣを読めた場合（ステップＳ９−１において「ＹＥＳ」の場合）には、ＩＤＢＣの登録処理を実行する（ステップＳ９−２）。具体的には、制御部１５は、ステップＳ３−２と同様に、このＩＤＢＣと、これの読取位置とを関連付けて仮記録する。一方、ＩＤＢＣを読めなかった場合（ステップＳ９−１において「ＮＯ」の場合）には、制御部１５は、ステップＳ９−２をスキップする。
【０１０５】
次に、制御部１５は、ステップＳ３−３と同様に、くじ番号を読めたか否かの判定処理を実行する（ステップＳ９−３）。ここで、くじ番号を読めた場合（ステップＳ９−３において「ＹＥＳ」の場合）、制御部１５は、くじ番号の登録処理を実行する（ステップＳ９−４）。具体的には、制御部１５は、ステップＳ３−４と同様に、このくじ番号と、これの読取位置とを関連付けて仮記録する。一方、くじ番号を読めなかった場合（ステップＳ９−３において「ＮＯ」の場合）には、制御部１５は、ステップＳ９−４をスキップする。
【０１０６】
次に、制御部１５は、ステップＳ３−５と同様に、追跡コードを読めたか否かの判定処理を実行する（ステップＳ９−５）。ここで、追跡コードを読めた場合（ステップＳ９−５において「ＹＥＳ」の場合）、制御部１５は、追跡コードの登録処理を実行する（ステップＳ９−６）。具体的には、制御部１５は、ステップＳ３−６と同様に、この追跡コードと、これの読取位置とを関連付けて仮記録する。一方、追跡コードを読めなかった場合（ステップＳ９−５において「ＮＯ」の場合）には、制御部１５は、ステップＳ９−６をスキップする。
【０１０７】
次に、制御部１５は、ステップＳ３−７と同様に、顧客コードを読めたか否かの判定処理を実行する（ステップＳ９−７）。ここで、顧客コードを読めた場合（ステップＳ９−７において「ＹＥＳ」の場合）、制御部１５は、顧客コードの登録処理を実行する（ステップＳ９−８）。具体的には、制御部１５は、ステップＳ３−８と同様に、この顧客コードと、これの読取位置とを関連付けて仮記録する。一方、顧客コードを読めなかった場合（ステップＳ９−７において「ＮＯ」の場合）には、制御部１５は、ステップＳ９−８をスキップする。
次に、制御部１５は、ステップＳ３−９と同様に、画像をコード化してＩＤとして特定する処理を実行する（ステップＳ９−９）。
【０１０８】
そして、図４に示すように、ＩＤ、読取位置情報に関連付けて宛先情報の記録処理（ステップＳ２−５）において、制御部１５は、仮記憶したＩＤと、これの読取位置とを関連付けた宛先レコード１６０を生成し、宛先情報記憶部１６に記録する。
【０１０９】
その後、図７に示す２パス処理において、区分機１０の制御部１５は、ＩＤ検索処理（ステップＳ７−３）を省略し、ＩＤの登録があるか否かの判定処理を実行する（ステップＳ７−４）。この判定処理において、制御部１５は、住所以外で特定した英数字列又はデコードした英数字列と、宛先レコード１６０のＩＤとが一致するとともに、この英数字列の読取位置が、宛先レコード１６０の読取位置とが許容範囲になるレコードを、宛先情報記憶部１６において検索する。該当する宛先レコード１６０を抽出した場合には、制御部１５は、ＩＤが登録されていると判定し（ステップＳ７−４において「ＹＥＳ」）、ＩＤ、読出位置情報に関連付けられた宛先情報の読み出し処理を実行する（ステップＳ７−５）。
これにより、複数のＩＤを用いて配送物を特定することができるので、より確実に配送物を仕分けすることができる。
【０１１０】
・  上記実施形態においては、区分機１０における区分処理の後にＶＣＳ２０におけるＶＣＳ処理を実行するオフラインＶＣＳの区分処理について説明した。これに代えて、区分機１０における１パス処理と連動してＶＣＳ処理を実行するオンラインＶＣＳの区分処理を実行してもよい。図１２（ａ）に示すように、区分機１０の制御部１５は、宛先情報を記憶して区分を行なう１パス処理と、記憶した宛先情報を用いて区分を行なうｎ（ｎ≧２）パス処理を実行する。
【０１１１】
図１２（ｂ）を用いて、まず１パス処理について説明する。区分機１０の制御部１５は、導入される郵便物毎に、以下の処理を繰り返して実行する。
まず、区分機１０の制御部１５は、ステップＳ２−１〜Ｓ２−４と同様に、画像取得処理（ステップＳ１１−１）、画像認識処理（ステップＳ１１−２）、ＩＤ化処理（ステップＳ１１−３）及び宛先を読んだか否かの判定処理（ステップＳ１１−４）を実行する。
【０１１２】
ここで、区分機１０の制御部１５は、宛先を読めなかったと判定した場合（ステップＳ１１−４において「ＮＯ」の場合）、ＶＣＳにおける画像表示処理を実行する（ステップＳ１１−５）。具体的には、制御部１５の宛先処理手段１５０は特定したＩＤ及び読取位置に関連付けて、取得した宛先面の画像データをＶＣＳ２０に送信する。ＶＣＳ２０の制御部２１は、取得した画像データを表示部２２に表示し、住所を入力することを促す。
【０１１３】
次に、ＶＣＳ２０の制御部２１は、入力部２３を介して、宛先入力処理を実行する（ステップＳ１１−６）。具体的には、制御部２１は、住所が入力された場合、入力された住所を取得し、この住所を宛先情報として、特定したＩＤ及び読取位置とともに、区分機１０の制御部１５に送信する。制御部１５は、ＶＣＳ２０からＩＤと読取位置と宛先情報とを受信する。一方、区分機１０の制御部１５は、宛先を読めたと判定した場合（ステップＳ１１−４において「ＹＥＳ」の場合）、ステップＳ１１−５，Ｓ１１−６をスキップする。
【０１１４】
次に、区分機１０の制御部１５は、ＩＤ、読取位置情報に関連付けて宛先情報の記録処理を実行する（ステップＳ１１−７）。具体的には、制御部１５の宛先処理手段１５０は、特定したＩＤ、読取位置及び宛先情報を含む宛先レコード１６０、又は受信したＩＤ、読取位置及び宛先情報を含む宛先レコード１６０を生成して、宛先情報記憶部１６に記録する。
次に、区分機１０の制御部１５は、ステップＳ２−７と同様に、仕分け処理を実行する（ステップＳ１１−８）。以上の処理を、郵便物毎に繰り返して実行する。
【０１１５】
また、図１３に示すように、区分機１０は、ｎパス処理において上記２パス処理と同様な処理を実行する。具体的には、区分機１０の制御部１５は、ステップＳ７−１〜Ｓ７−３と同様に、画像取得処理（ステップＳ１２−１）、画像認識処理（ステップＳ１２−２）及びＩＤ検索処理（ステップＳ１２−３）を実行する。
【０１１６】
次に、区分機１０の制御部１５は、ステップＳ７−４と同様に、ＩＤの登録があるか否かの判定処理を実行する（ステップＳ１２−４）。
ここで、ＩＤの登録がある場合（ステップＳ１２−４において「ＹＥＳ」の場合）、区分機１０の制御部１５は、ステップＳ７−５、Ｓ７−６と同様に、ＩＤ、読出位置情報に関連付けられた宛先情報の読み出し処理（ステップＳ１２−５）及び仕分け処理（ステップＳ１２−６）を実行する。
【０１１７】
一方、ＩＤの登録がない場合（ステップＳ１２−４において「ＮＯ」の場合）、区分機１０の制御部１５は、ステップＳ７−７と同様に、リジェクト処理を実行する（ステップＳ１２−７）。
【０１１８】
これにより、区分機１０において宛先を自動で取得できた配送物の区分け処理と同時に、宛先を自動で取得できなかった配送物について、宛先情報の入力を行なうことができる。
【０１１９】
・  上記実施形態においては、宛先情報記憶部１６を区分機１０内に設けたが、区分機１０とは別に宛先情報記憶部１６を設け、複数の区分機１０が、この宛先情報記憶部１６とデータの送受信を行なえるようにしてもよい。具体的には、第１区分手段としての区分機１０と、第２区分手段としての区分機とを別体とする。この場合には、配送物を受け付けた差出拠点の区分機１０で、全国差立時に、上述した１パス処理と同様な処理を行なって、宛先レコード１６０を宛先情報記憶部１６に記憶させるようにしてもよい。そして、配達拠点の区分機１０において、１パス処理において、ＩＤ化処理〜宛先情報の記録処理（ステップＳＳ２−３〜Ｓ２−５）を実行する代わりに、２パス処理と同様に、ＩＤ検索処理〜宛先情報の読み出し処理（ステップＳ７−４〜Ｓ７−５）を実行することにより区分することができる。
【０１２０】
・  上記実施形態では、郵便物区分システム１００は、１パス処理（ステップＳ１−１）において画像認識処理（ステップＳ２−２）を実行した。その後、宛先を読まなかった場合（ステップＳ２−４において「ＮＯ」の場合）には、ＶＣＳ処理（ステップＳ１−２）において、ＶＣＳ２０の制御部２１が、画像認識処理を実行する（ステップＳ４−１）。この画像認識処理において、制御部２１は、区分機１０の画像認識処理における読取条件とは異なる条件で、画像認識処理を実行してもよい。これにより、１回の読取処理で宛先を読み取れなかったとしても、再度、異なる読取条件によって画像認識を行なうことができるので、宛先情報を取得できる可能性を高くすることができる。
【０１２１】
・  上記実施形態では、区分機１０の制御部１５は、ＩＤ化処理（ステップＳ２−３）において、ＩＤＢＣ、くじ番号、追跡コード及び顧客コードを読めない場合（ステップＳ３−７において「ＮＯ」の場合）、画像をコード化してＩＤとして特定する処理を実行する（ステップＳ３−９）。これに代えて、ＩＤＢＣ、くじ番号、追跡コード及び顧客コードを読めない場合（ステップＳ３−７において「ＮＯ」の場合）、従来と同様に、区分機１０がＩＤＢＣを印字するようにしてもよい。
【０１２２】
・  上記実施形態では、窓付き封筒と判定した場合には、この枠内の領域（窓領域）を除いた画像データをコード化関数に代入して、コードを生成する。枠内と枠外を別個にコード化関数に代入し、それぞれを加算や乗算等の演算を行うことも可能である。これにより、内容物と窓の相対位置とが変化しても、同一の配送物を特定することができる。また、内容物と窓との相対位置が変化しない窓付き封筒と特定した場合には、窓付き封筒であっても、窓付き封筒でない郵便物と同様な処理によって区分けしてもよい。この場合には、ステップＳ３−９において窓付き封筒か否かの判定等の窓付き封筒対象処理を省略することができる。また、宛先処理手段１５０は、内容物と窓との相対位置が変化しない窓付き封筒の特定に応じて、窓付き封筒対象処理を実行するか否かを判定してもよい。この場合、内容物と窓との相対位置が変化しない窓付き封筒を、読取画像や指示の入力等によって判定する。例えば、内容物と窓との相対位置が変化しない窓付き封筒の画像パターンを予め登録しておき、読取画像において、このパターンを合致しない場合には窓付き封筒対象処理を実行する。また、区分機１０に郵便物を投入する前に、作業者が窓付き封筒の種類に応じて、窓付き封筒対象処理の実行要否を入力してもよい。
・  上記実施形態では、配送物として郵便物を区分した。区分する対象の配送物は郵便物に限定されず、区分システムによって区分できる配送物であればよい。
【符号の説明】
【０１２３】
１０…区分機、１１…読取部、１２…搬送部、１５，２１…制御部、１６…宛先情報記憶部、１７，２５…住所情報記憶部、２０…ＶＣＳ、２２…表示部、２３…入力部、２４…画像データ記憶部、１００…郵便物区分システム、１５０…宛先処理手段、１５１…画像認識手段、１５２…搬送制御手段。
【図１】
2014144398.tif 000003
【図２】
2014144398.tif 000004
【図３】
2014144398.tif 000005
【図４】
2014144398.tif 000006
【図５】
2014144398.tif 000007
【図６】
2014144398.tif 000008
【図７】
2014144398.tif 000009
【図８】
2014144398.tif 000010
【図９】
2014144398.tif 000011
【図１０】
2014144398.tif 000012
【図１１】
2014144398.tif 000013
【図１２】
2014144398.tif 000014
【図１３】
2014144398.tif 000015